(57)【要約】【課題】放置プリント防止のための認証を省いて端末装置をかざす操作によって印刷処理を実行可能とした情報処理装置、画像形成装置及び情報処理プログラムを提供する。【解決手段】情報処理装置２は、認証が成立したとき、印刷処理を実行する実行手段２０３と、近接無線通信を行う近接無線通信部２２と、近接無線通信とは通信プロトコルが異なり、無線通信を行う近距離無線通信部２３と、携帯端末装置３をかざす操作を行って近接無線通信の接続が確立したとき、自己のＩＰアドレス２１１を近接無線通信を介して携帯端末装置３に送信する送信手段２００と、かざす操作を行った際に、受付手段２０１が自己のＩＰアドレスを送信先として印刷指示情報３１３を近距離無線通信を介して受け付けたとき、認証手段２０２の機能を一時的に無効にして実行手段２０３に印刷指示情報３１３に従った印刷処理を実行させる制御部２０とを備える。【選択図】図１
2017173871.tif 000002
【特許請求の範囲】
【請求項１】
データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
近接無線通信を行う近接無線通信部と、
前記近接無線通信とは通信プロトコルが異なり、無線通信を行う無線通信部と、
端末装置をかざす操作を行って前記近接無線通信の接続が確立したとき、自己の識別情報を前記近接無線通信を介して前記端末装置に送信する送信手段と、
前記かざす操作を行った際に、前記受付手段が前記自己の識別情報を送信先として前記印刷指示情報を前記無線通信又は前記近接無線通信を介して受け付けたとき、前記認証手段の機能を一時的に無効にして前記実行手段に前記印刷指示情報に従った印刷処理を実行させる制御部と、
を備えた情報処理装置。
【請求項２】
前記制御部は、予め定められた時間以上前記近接無線通信を接続できなかったとき、前記認証手段の機能を有効にする、請求項１に記載の情報処理装置。
【請求項３】
前記制御部は、前記認証手段の機能を一時的に無効化して前記実行手段に前記印刷処理を実行させ、前記印刷処理が終了した後、前記認証手段の機能を有効にする、請求項１に記載の情報処理装置。
【請求項４】
前記認証手段の機能を有効とするか無効とするかの設定が可能な設定手段を更に備えた請求項１に記載の情報処理装置。
【請求項５】
データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
近接無線通信を行う近接無線通信部と、
前記近接無線通信とは通信プロトコルが異なり、無線通信を行う無線通信部と、
端末装置をかざす操作を行って前記近接無線通信の接続が確立したとき、自己の識別情報を前記近接無線通信を介して前記端末装置に送信する送信手段と、
前記かざす操作を行った際に、前記受付手段が前記自己の識別情報を送信先として前記印刷指示情報を前記無線通信又は前記近接無線通信を介して受け付けたとき、前記認証手段の機能を一時的に無効にして前記実行手段に前記印刷指示情報に従った印刷処理を実行させる制御部と、
を備えた画像形成装置。
【請求項６】
前記制御部は、予め定められた時間以上前記近接無線通信を接続できなかったとき、前記認証手段の機能を有効にする、請求項５に記載の画像形成装置。
【請求項７】
前記制御部は、前記認証手段の機能を一時的に無効化して前記実行手段に前記印刷処理を実行させ、前記印刷処理が終了した後、前記認証手段の機能を有効にする、請求項５に記載の画像形成装置。
【請求項８】
前記認証手段の機能を有効とするか無効とするかの設定が可能な設定手段を更に備えた請求項５に記載の画像形成装置。
【請求項９】
コンピュータを、
データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
端末装置をかざす操作を行って近接無線通信の接続が確立したとき、自己の識別情報を近接無線通信を介して前記端末装置に送信する送信手段と、
前記かざす操作を行った際に、前記受付手段が前記自己の識別情報を送信先として前記印刷指示情報を、前記近接無線通信とは通信プロトコルが異なる無線通信又は前記近接無線通信を介して受け付けたとき、前記認証手段の機能を一時的に無効にして前記実行手段に前記印刷指示情報に従った印刷処理を実行させる制御手段として機能させるための情報処理プログラム。
【発明の詳細な説明】
【技術分野】
【０００１】
本発明は、情報処理装置、画像形成装置及び情報処理プログラムに関する。
【背景技術】
【０００２】
従来、ＮＦＣ（Near Field Communication）の規格に従った通信（以下「ＮＦＣ通信」という。）を実行可能なＮＦＣ対応機器が実用化され、一対のＮＦＣ対応機器の間で双方向通信を実行するためのＰ２Ｐ（Peer to Peer）モードを利用した通信システムが提案されている（例えば、特許文献１参照）。
【０００３】
この通信システムは、ＮＦＣ対応機器の携帯端末及び多機能周辺装置（ＭＦＰ：MultiFunction Peripheral）を備え、Ｐ２Ｐモードにおいて、携帯端末をＭＦＰにかざすことで、携帯端末に保存されているユーザＩＤ及び画像データやＰＤＦ等のデータをＭＦＰへ送信してプリントさせるというものである。
【先行技術文献】
【特許文献】
【０００４】
【特許文献１】特開２０１５−６９４５８号公報
【発明の概要】
【発明が解決しようとする課題】
【０００５】
一方、ユーザが端末装置からデータの印刷を指示する印刷指示情報をネットワークを介して画像形成装置に送信したとき、放置プリントを防止する観点より、ユーザが画像形成装置の操作部に対してユーザＩＤ（及びパスワード）を直接入力し、認証が成立したときにプリントを出力する放置プリント防止システムが知られている。このようなシステムにおいて、Ｐ２Ｐモードを利用しようとした場合、端末装置をかざす操作とユーザＩＤを入力する操作を行うのはユーザにとって負担となる。
【０００６】
本発明の目的は、放置プリント防止のための認証を省いて端末装置をかざす操作によって印刷処理を実行可能とした情報処理装置、画像形成装置及び情報処理プログラムを提供することにある。
【課題を解決するための手段】
【０００７】
［１］データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
近接無線通信を行う近接無線通信部と、
前記近接無線通信とは通信プロトコルが異なり、無線通信を行う無線通信部と、
端末装置をかざす操作を行って前記近接無線通信の接続が確立したとき、自己の識別情報を前記近接無線通信を介して前記端末装置に送信する送信手段と、
前記かざす操作を行った際に、前記受付手段が前記自己の識別情報を送信先として前記印刷指示情報を前記無線通信又は前記近接無線通信を介して受け付けたとき、前記認証手段の機能を一時的に無効にして前記実行手段に前記印刷指示情報に従った印刷処理を実行させる制御部と、を備えた情報処理装置。
［２］前記制御部は、予め定められた時間以上前記近接無線通信を接続できなかったとき、前記認証手段の機能を有効にする、前記［１］に記載の情報処理装置。
［３］前記制御部は、前記認証手段の機能を一時的に無効化して前記実行手段に前記印刷処理を実行させ、前記印刷処理が終了した後、前記認証手段の機能を有効にする、前記［１］に記載の情報処理装置。
［４］前記認証手段の機能を有効とするか無効とするかの設定が可能な設定手段を更に備えた前記［１］に記載の情報処理装置。
【０００８】
［５］データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
近接無線通信を行う近接無線通信部と、
前記近接無線通信とは通信プロトコルが異なり、無線通信を行う無線通信部と、
端末装置をかざす操作を行って前記近接無線通信の接続が確立したとき、自己の識別情報を前記近接無線通信を介して前記端末装置に送信する送信手段と、
前記かざす操作を行った際に、前記受付手段が前記自己の識別情報を送信先として前記印刷指示情報を前記無線通信又は前記近接無線通信を介して受け付けたとき、前記認証手段の機能を一時的に無効にして前記実行手段に前記印刷指示情報に従った印刷処理を実行させる制御部と、を備えた画像形成装置。
［６］前記制御部は、予め定められた時間以上前記近接無線通信を接続できなかったとき、前記認証手段の機能を有効にする、前記［５］に記載の画像形成装置。
［７］前記制御部は、前記認証手段の機能を一時的に無効化して前記実行手段に前記印刷処理を実行させ、前記印刷処理が終了した後、前記認証手段の機能を有効にする、前記［５］に記載の画像形成装置。
［８］前記認証手段の機能を有効とするか無効とするかの設定が可能な設定手段を更に備えた前記［５］に記載の画像形成装置。
【０００９】
［９］コンピュータを、データの印刷を指示する印刷指示情報を受け付ける受付手段と、
前記印刷指示情報の印刷を許可するための認証処理を行う認証手段と、
前記認証処理で認証が成立したとき、前記印刷指示情報に従って印刷処理を実行する実行手段と、
端末装置をかざす操作を行って近接無線通信の接続が確立したとき、自己の識別情報を近接無線通信を介して前記端末装置に送信する送信手段と、
前記かざす操作を行った際に、前記受付手段が前記自己の識別情報を送信先として前記印刷指示情報を、前記近接無線通信とは通信プロトコルが異なる無線通信又は前記近接無線通信を介して受け付けたとき、前記認証手段の機能を一時的に無効にして前記実行手段に前記印刷指示情報に従った印刷処理を実行させる制御手段として機能させるための情報処理プログラム。
【発明の効果】
【００１０】
請求項１、５、９に係る発明によれば、放置プリント防止のための認証を省いて端末装置をかざす操作によって印刷処理を実行することができる。
請求項２、３、６、７に係る発明によれば、端末装置をかざす操作以外の方法で送信された印刷指示情報に対しては認証処理を行って放置プリントを抑制することができる。
請求項４、８に係る発明によれば、認証手段の機能を有効とするか無効とするかを管理者等が設定することができる。
【図面の簡単な説明】
【００１１】
【図１】図１は、本発明の実施の形態に係る情報処理システムの構成例を機能的に示すブロック図である。
【図２】図２は、認証処理を行う場合の画像形成装置の動作の一例を示すフローチャートである。
【図３】図３は、認証処理を省いた場合の画像形成装置の動作の一例を示すフローチャートである。
【発明を実施するための形態】
【００１２】
以下、本発明の実施の形態について図面を参照して説明する。なお、各図中、実質的に同一の機能を有する構成要素については、同一の符号を付してその重複した説明を省略する。なお、本実施の形態では、情報処理装置の一例として画像処理装置を例に挙げて説明するが、その他の情報処理装置であってもよい。
【００１３】
図１は、本発明の実施の形態に係る情報処理システムの構成例を機能的に示すブロック図である。この情報処理システム１は、画像形成装置２と携帯端末装置３とを無線により通信可能に接続したものである。
【００１４】
（画像形成装置の構成）
画像形成装置２は、例えば、コピー、スキャン、プリント、ファックス等の複数の機能を備えた複合機であり、画像形成装置２の各部を制御する制御部２０を有し、この制御部２０に、記憶部２１、近接無線通信部２２、近距離無線通信部２３、表示操作部２４、画像読取部２５、画像処理部２６、画像出力部２７及びファクシミリ部２８が接続されている。
【００１５】
近接無線通信部２２は、携帯端末装置３の近接無線通信部３２との間で通信可能距離が、例えば１０ｃｍ程度以下の近接無線通信を行うものである。このような通信として、本実施の形態では、例えばＰ２Ｐモードが可能なＮＦＣ通信を用いる。
【００１６】
記憶部２１は、ＲＯＭ（Read Only Memory）、ＲＡＭ（Random Access Memory）、ハードディスク等で実現され、プログラム２１０、自己に割り当てられたＩＰアドレス２１１、ユーザＩＤリスト２１２、印刷指示情報リスト２１３等を記憶する。プログラム２１０は、情報処理プログラムの一例である。ＩＰアドレス２１１は、画像形成装置の識別情報の一例である。
【００１７】
ユーザＩＤリスト２１２には、画像形成装置２にアクセス可能なユーザＩＤが予め登録されている。ユーザＩＤは、ユーザの識別情報の一例である。携帯端末装置３が個体識別番号を用いる場合は、ユーザＩＤリスト２１２には、ユーザＩＤ及び個体識別番号が含まれている。印刷指示情報リスト２１３には、１つ又は２つ以上の印刷指示情報が記憶される。なお、記憶部２１がユーザＩＤリスト２１２を記憶していなくてもよい。この場合は、例えば、サーバがユーザＩＤリスト２１２を記憶しておき、画像形成装置２がネットワークを介してサーバにユーザの認証を依頼する。
【００１８】
近接無線通信部２２と相手の近接無線通信部３２とが互いに通信可能な距離、例えば互いのアンテナの距離が１０ｃｍ程度以下に存在すると、近接無線通信の接続が確立する。また、近接無線通信部２２と相手の近接無線通信部３２とが互いに通信可能な距離に存在して接続が確立されている状態で、相手の近接無線通信部３２が通信可能な距離から外れると、近接無線通信の接続が切断される。
【００１９】
近距離無線通信部２３は、携帯端末装置３の近距離無線通信部３３との間で近接無線通信部２２よりも長い通信可能距離、例えば１００ｍ程度以下で近距離無線通信を行うものである。このような通信として、例えば、Wi-Fi（Wireless Fidelity）等のＬＡＮルータを経由した無線ＬＡＮ（Local Area Network）や、Wi-Fi Direct、Bluetooth（登録商標）等のＬＡＮルータ等を経由しない無線通信を用いることができる。近距離無線通信部２３は、近接無線通信部２２とは異なる通信プロトコルが用いられる。
【００２０】
表示操作部２４は、液晶ディスプレイ等の表示部にタッチパネルが重合配置されたタッチパネルディスプレイを有し、操作画面を表示部に表示するとともに、操作者からタッチパネルへの操作を受け付ける。
【００２１】
画像読取部２５は、例えばスキャナにより構成され、原稿から画像データを読み取って入力する。画像処理部２６は、画像読取部２５等から入力された画像データの圧縮、伸張、合成等の画像処理を行う。画像出力部２７は、例えば感光体による画像保持体を有し、用紙等の記録媒体に画像を形成して出力する。ファクシミリ部２８は、Ｇ３、Ｇ４等のファクシミリプロトコルに従ってデータの変復調を行い、電話回線を介してファクシミリ通信を行う。
【００２２】
制御部２０は、ＣＰＵ（Central Processing Unit）、インターフェース等から構成されている。ＣＰＵは、記憶部２１に記憶されたプログラム１０に従って動作することにより、送信手段２００、受付手段２０１、認証手段２０２、実行手段２０３等として機能し、Ｐ２Ｐモードを実行する。
【００２３】
送信手段２００は、近接無線通信部２２が携帯端末装置３の近接無線通信部３２との間で近接無線通信の接続を確立すると、記憶部２１からＩＰアドレス２１１を読み出し、ＩＰアドレス２１１を近接無線通信部２２を介して携帯端末装置３に送信する。
【００２４】
受付手段２０１は、データの印刷を指示する印刷指示情報を受け付ける。受付手段２０１は、図示しない端末装置からネットワーク（近距離無線通信でもよい。）を介して送信された印刷指示情報を受け付ける場合もあれば、携帯端末装置３をかざす操作を行った際に、印刷指示情報３１３を近距離無線通信部２３を介して受け付ける場合もある。前者の場合は、受付手段２０１は、受け付けた印刷指示情報を印刷指示情報リスト２１３に登録する。後者の場合は、送信手段２００は、受け付けた印刷指示情報３１３を実行手段２０３に渡す。
【００２５】
認証手段２０２は、記憶部２１の印刷指示情報リスト２１３として記憶された印刷指示情報３１３の印刷を許可するための認証処理を行う。具体的には、認証手段２０２は、表示操作部２４に対する操作によって受け付けたユーザＩＤに基づいてユーザの認証処理、すなわち、受け付けたユーザＩＤが記憶部２１のユーザＩＤリスト２１２に登録されているか否かを判断し、登録されている場合には、認証が成立したときは、次の処理を受け付ける。認証手段２０３は、認証結果を実行手段２０３に通知する。なお、認証手段２０２は、ユーザＩＤとパスワードに基づいてユーザを認証してもよい。
【００２６】
実行手段２０２は、受付手段２０１から渡された印刷指示情報３１３に従って印刷処理を実行する。すなわち、実行手段２０２は、画像データを印刷指示情報３１３で設定された印刷条件で印刷するように画像出力部２７を制御する。画像出力部２７は、印刷指示情報３１３で設定された印刷条件で画像データを用紙等の記録媒体に印刷する。なお、実行手段２０３は、受付手段２０１から渡された指示情報によっては画像処理部２６やファクシミリ部２８を制御して処理を実行する場合もある。
【００２７】
実行手段２０３は、印刷指示情報リスト２１３に含まれる印刷指示情報のうち表示操作部２４の操作によって選択された印刷指示情報を印刷するときは、認証が成立した場合に印刷処理を実行し、認証が成立しなかった場合は、印刷処理を拒否する。
【００２８】
制御部２０は、携帯端末装置３を例えば１回かざす操作を行った際に、受付手段２００が自己のＩＰアドレスを送信先として印刷指示情報３１３を近距離無線通信を介して受け付けたとき、認証手段２０２の機能を一時的に無効にして実行手段２０３に印刷指示情報３１３に従った印刷処理を実行させる。実行手段２０３は、認証の成否によらず印刷指示情報３１３に従って印刷処理を実行する。
【００２９】
なお、送信手段２００、受付手段２０１、認証手段２０２、実行手段２０３は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【００３０】
（携帯端末装置の構成）
携帯端末装置３は、携帯端末装置３の各部を制御する制御部３０を有し、この制御部３０に、記憶部３１、近接無線通信部３２、近距離無線通信部３３、表示操作部３４が接続されている。携帯端末装置３は、パーソナルコンピュータ、タブレット型コンピュータ、多機能電話機（スマートフォン）、携帯電話機等でもよい。
【００３１】
記憶部３１は、ＲＯＭ（Read Only Memory）、ＲＡＭ（Random Access Memory）、ハードディスク等で実現され、プログラム３１０、画像データ３１２、印刷指示情報３１３等を記憶する。
【００３２】
近接無線通信部３２は、画像形成装置２の近接無線通信部２２との間で近接無線通信を行うものであり、画像形成装置２の近接無線通信部２２と同様の機能を有する。
【００３３】
近距離無線通信部３３は、画像形成装置２の近距離無線通信部２３との間で近距離無線通信を行うものであり、画像形成装置２の近距離無線通信部２３と同様の機能を有する。
【００３４】
表示操作部３４は、液晶ディスプレイ等の表示部にタッチパネルが重合配置されたタッチパネルディスプレイを有し、操作画面を表示部に表示するとともに、操作者からタッチパネルへの操作を受け付ける。
【００３５】
制御部３０は、ＣＰＵ（Central Processing Unit）、インターフェース等から構成されている。ＣＰＵは、記憶部３１に記憶されたプログラム３１０に従って動作することにより、ＩＰアドレス取得手段３００、印刷指示手段３０１、送信手段３０２等として機能し、Ｐ２Ｐモードを実行する。
【００３６】
ＩＰアドレス取得手段３００は、近接無線通信部３２が画像形成装置２の近接無線通信部２２との間で近接無線通信の接続を確立したとき、近接無線通信部３２を介して画像形成装置２のＩＰアドレス２１１を取得する。ＩＰアドレス取得手段３００は、取得したＩＰアドレス２１１を印刷指示手段３０１に通知する。
【００３７】
印刷指示手段３０１は、データの印刷を指示する印刷指示情報３１３を、送信先を当該ＩＰアドレスとして近距離無線通信部３３を介して当該ＩＰアドレス２１１の画像形成装置２に送信する。
【００３８】
なお、ＩＰアドレス取得手段３００、印刷指示手段３０１は、それぞれ一部又は全部をＦＰＧＡ、ＡＳＩＣ等のハードウェア回路によって構成してもよい。また、ＩＰアドレス取得手段３００をＯＳが実行し、印刷指示手段３０１をアプリケーションソフトウェアが実行してもよい。
【００３９】
（情報処理システムの動作）
次に、情報処理システム１の動作の一例について図２及び図３を参照して説明する。図２は、認証処理を行う場合の画像処理装置２の動作の一例を示すフローチャートである。図３は、認証処理を省いた場合の画像処理装置２の動作の一例を示すフローチャートである。
【００４０】
（１）認証処理を行う場合
まず、ユーザは、図示しない端末装置を操作して印刷対象ファイルの画像データを選択し、画像データに対する印刷条件、例えばカラー／白黒、印刷枚数等を設定して印刷指示情報を生成する。ユーザは、端末装置を操作して印刷指示情報をネットワークを介して画像形成装置２に送信する。
【００４１】
画像形成装置２の受付手段２００は、ネットワークを介して印刷指示情報を受け付けると（Ｓ１）、受け付けた印刷指示情報を記憶部２１の印刷指示情報リスト２１に記憶する。
【００４２】
認証手段２０２は、表示操作部２４からユーザＩＤの入力があると（Ｓ２）、入力されたユーザＩＤがユーザＩＤリスト２１２に登録されているか否かを判断する（Ｓ３）。認証手段２０２は、認証結果を実行手段２０３に通知する。
【００４３】
実行手段２０３は、認証が成立している場合は（Ｓ３：Ｙｅｓ）、記憶部２１に記憶されている印刷指示情報リスト２１３を表示操作部２４に表示する（Ｓ４）。ユーザが表示操作部２４を操作して印刷を希望する印刷指示情報を選択する。実行手段２０３は、選択された印刷指示情報に従って画像出力部２７を制御して印刷処理を実行する（Ｓ５）。
【００４４】
認証が成立していない場合は（Ｓ３：Ｎｏ）、実行手段２０３は、印刷処理を拒否する（Ｓ６）。
【００４５】
（２）認証処理を省いた場合
まず、ユーザは、携帯端末装置３の表示操作部３４を操作して印刷設定画面を表示させる。次に、ユーザは、印刷設定画面を操作して記憶部３１に記憶されている画像データ３１２から印刷対象ファイルの画像データ３１２を選択する。
【００４６】
続いてユーザは、選択した画像データ３１２に対する印刷条件、例えばカラー／白黒、印刷枚数等を設定する。印刷指示手段３０１は、選択された画像データ３１２を設定された印刷条件で印刷することを指示する印刷指示情報３１３を生成し、記憶部３１に記憶する。印刷指示手段３０１は、例えば、選択された画像データを表示操作部３４に表示することで、携帯端末装置３を近接無線通信の待ち受け状態にし、Ｐ２Ｐモードを実行可能とする。なお、近接無線通信の待ち受け状態にするための方法としては、選択された画像データを表示操作部３４に表示する方法に限られず、画像データが選択され、印刷条件が設定された状態であればよい。
【００４７】
画像形成装置２の近接無線通信部２２は、定期的に無線信号を送信して通信対象の有無を判定している。ユーザが選択した画像データを表示操作部３４に表示した状態で携帯端末装置３の近接無線通信部２２を画像形成装置２の近接無線通信部２２に近づける（かさず）と、画像形成装置２の近接無線通信部２２は、複数回連続して携帯端末装置３を検出して携帯端末装置３の近接無線通信部３２との間で近接無線通信の接続を確立する。
【００４８】
近接無線通信部２２が携帯端末装置３の近接無線通信部３２との間で近接無線通信の接続を確立すると（Ｓ１１：Ｙｅｓ）、送信手段２００は、記憶部２１からＩＰアドレス２１１を読み出し、ＩＰアドレス２１１を近接無線通信部２２を介して携帯端末装置３に送信する（Ｓ１２）。
【００４９】
携帯端末装置３のＩＰアドレス取得手段３００は、画像形成装置２から送信されたＩＰアドレス２１１を近接無線通信部３２を介して受信すると、取得したＩＰアドレス２１１を印刷指示手段３０１に通知する。
【００５０】
印刷指示手段３０１は、通知されたＩＰアドレス２１１を送信先として印刷指示情報３１３を近距離無線通信部３３から画像形成装置２に送信するように制御する。近距離無線通信部３３が近距離無線通信部２３との間で近距離無線通信の接続を確立すると（Ｓ１３）、画像形成装置２の受付手段２０１は、近接無線通信を介して印刷指示情報３１３を受け付ける（Ｓ１４）。受付手段２０１は、受け付けた印刷指示情報３１３を実行手段２０１に渡す。制御部２０は、認証手段２０２の機能を一時的に無効にして実行手段２０３に印刷指示情報３１３に従った印刷処理を実行させる。実行手段２０１は、認証手段２０２の機能は無効になっているので、認証結果に依らず画像出力部２７を制御して印刷指示情報３１３で設定された印刷条件で画像データを記録媒体に印刷する（Ｓ１５）。
【００５１】
以上、本発明の実施の形態を説明したが、本発明は上記の実施の形態に限定されるものではなく、本発明の要旨を変更しない範囲内で種々の変形、実施が可能である。
【００５２】
（変形例１）
制御部２０は、予め定められた時間以上近接無線通信を接続できなかったとき、認証手段２０２の機能を有効にしてもよい。
【００５３】
（変形例２）
制御部２０は、認証手段２０２の機能を一時的に無効にして実行手段２０３に印刷処理を実行させ、印刷処理が終了した後、認証手段２０２の機能を有効にしてもよい。
【００５４】
（変形例３）
制御部２０が、認証手段２０２の機能を有効とするか無効とするかの設定が可能な設定手段の機能を有してもよい。
【００５５】
（変形例４）
上記実施の形態では、高速通信が可能という理由で、印刷指示情報３１３を近距離無線通信部３３を介して送信したが、データ量が少ない場合などには印刷指示情報３１３を近接無線通信部３２を介して送信してもよい。
【００５６】
（変形例５）
上記実施の形態では、印刷対象ファイルとして画像データについて説明したが、テキスト、ＰＤＦ（Portable Document Format）、Ｗｅｂページ等の携帯端末装置３で扱えるデータを印刷対象ファイルにしてもよい。
【００５７】
また、本発明の要旨を変更しない範囲内で、実施の形態のフローにおいて、ステップの追加、削除、変更、入替え等が可能である。
【００５８】
また、上記実施の形態で用いたプログラムをＣＤ−ＲＯＭ等のコンピュータ読み取り可能な記録媒体に記録して提供することもできる。
【符号の説明】
【００５９】
１…情報処理システム、２…画像形成装置、３…携帯端末装置、２０…制御部、
２１…記憶部、２２…近接無線通信部、２３…近距離無線通信部、
２４…表示操作部、２５…画像読取部、２６…画像処理部、２７…画像出力部、
２８…ファクシミリ部、３０…制御部、３１…記憶部、
３２…近接無線通信部、３３…近距離無線通信部、３４…表示操作部、
２００…送信手段、２０１…受付手段、２０２…認証手段、２０３…実行手段、
２１０…プログラム、２１１…ＩＰアドレス、２１２…ユーザＩＤリスト、
２１３…印刷指示情報リスト、３００…ＩＰアドレス取得手段、
３０１…印刷指示手段、３０２…送信手段、３１０…プログラム、
３１２…画像データ、３１３…印刷指示情報
【図１】
2017173871.tif 000003
【図２】
2017173871.tif 000004
【図３】
2017173871.tif 000005